(57)【要約】【課題】長手方向において充分容易に湾曲することができると共に、ステントを半径方向に収縮せんとする力に対して充分な耐性を有する超弾性合金製ステントを提供する。【解決手段】長手方向に湾曲することを許容する第二の部分を構成するストラットの横断面積Ｘ２を、半径方向に拡張及び収縮自在な第一の部分を構成するストラットの横断面積Ｘ１の１／１０乃至１／２にする。【選択図】図４
2007159967.tif 000002
【特許請求の範囲】
【請求項１】
長手方向に配列された複数個の第一の部分と隣接する第一の部分間の各々に配設された第二の部分とを含み、該第一の部分の各々はストラットから構成され半径方向に拡張及び収縮自在であり、該第二の部分もストラットから構成され全体が長手方向において湾曲するのを許容する、全体として円筒形状であり且つ全体が一体に形成された超弾性合金製ステントにおいて、
該第二の部分を構成する該ストラットの横断面積X２は該第一の部分を構成する該ストラットの横断面積X1の１／１０乃至１／２である、ことを特徴とするステント。
【請求項２】
該第二の部分を構成する該ストラットの横断面積X２は該第一の部分を構成する該ストラットの横断面積X１の１／８乃至１／４である、請求項１記載のステント。
【請求項３】
該第二の部分を構成する該ストラットの横断面積X２は該第一の部分を構成する該ストラットの横断面積X1の１／６乃至１／４である、請求項２記載のステント。
【請求項４】
該第一の部分の少なくとも一部はステントの長手方向中心軸線と実質上平行に延びる中心軸線方向ストラット部を含み、該第二の部分を構成するストラットの少なくとも片端は該中心軸線方向ストラット部の片端に接続されている、請求項１から３までのいずれかに記載のステント。
【請求項５】
超弾性合金はニッケルチタン（ＮｉＴｉ）合金である、請求項１から４までのいずれかに記載のステント。
【請求項６】
長手方向に配列された複数個の第一の部分と隣接する第一の部分間の各々に配設された第二の部分とを含み、該第一の部分の各々はストラットから構成され半径方向に拡張及び収縮自在であり、該第二の部分の各々もストラットから構成され全体が長手方向において湾曲するのを許容する、全体として円筒形状であり且つ全体が一体に形成された超弾性合金製ステントにおいて、
該第一の部分の少なくとも一部はステントの長手方向中心軸線と実質上平行に延びる中心軸線方向ストラット部を含み、該第二の部分を構成するストラットの少なくとも片端は該中心軸線方向ストラット部の片端に接続されている、ことを特徴とするステント。
【発明の詳細な説明】
【技術分野】
【０００１】
本発明は、胆道及び尿道の如き人体の管状器官の狭窄症状等の治療器具として使用される超弾性合金製ステントに関する。
【背景技術】
【０００２】
当業者には周知の如く、人体の管状器官の狭窄症状等の治療器具として、ステントと称されている器具が使用されている。ステントの典型例としては、下記特許文献１に開示されているステントを挙げることができる。このステントは、全体として円筒形状であり且つ全体が一体に形成されており、長手方向に配列された複数個の第一の部分と隣接する第一の部分間の各々に配設された第二の部分を含んでいる。第一の部分は全体としてジグザグ形態で延在するストラット（即ち細長く延在する線状乃至帯状構造材）から構成されており、半径方向に拡張及び収縮自在である。第二の部分は周方向に間隔をおいて配列され長手方向においてＳ字形状に延在する複数個のストラットから構成されており、その両端は両側に位置する第一の部分のストラットに接続されている。第二の部分はステントが長手方向において湾曲することを許容する。
【特許文献１】特許第３６５４６２７号公報
【０００３】
ステントは塑性拡張型ステントと弾性拡張型ステントとに大別することができる。塑性拡張型のステントは、必要に応じて半径方向に収縮した状態で管状器官の所要部位まで搬送され、所要部位においてステント内に位置しているバルーンカテーテルを膨出させることによって塑性変形されて半径方向に拡張される。かような塑性拡張型ステントは、一般に、ステンレス鋼又はコバルトクロム（ＣｏＣｒ）合金の如き通常の(即ち超弾性ではない）金属から形成されている。一方、弾性拡張型ステントは、半径方向に弾性的に収縮されシース(鞘)内に収容されて管状器官の所要部位まで搬送され、所要部位にてシースを分離すると弾性的に復元して半径方向に拡張する。かような弾性拡張型ステントは、一般に、ニッケルチタン（ＮｉＴｉ）合金の如き超弾性合金から形成されている。弾性拡張型ステントは、単にシースを分離するのみで弾性的に復元して半径方向に拡張する故に、治療処置が容易である等の利点を有する。
【発明の開示】
【発明が解決しようとする課題】
【０００４】
上記特許文献１に開示されているステントは、通常の金属から塑性拡張型ステントとして形成した場合には、特に問題を発生することなく、長手方向において充分容易に湾曲することができ、従って人体の湾曲した管状器官を通して所要部位に搬送することができ、そしてまた所要部位において半径方向に一旦拡張すると、管状器官から加えられる半径方向内向きの力、即ちステントを半径方向に収縮せんとする力に対して充分に耐えることができる。しかしながら、超弾性合金から弾性拡張型ステントとして形成した場合には、本発明者等の研究によれば、長手方向において湾曲されると、第二の部分を構成しているストラットが変形されることに加えて第一の部分を構成しているストラットも相当変形されてしまう傾向があることが判明した。これは、超弾性合金は歪みが小さい領域では通常の金属よりも弾性変形抵抗が小さいが、ステントを長手方向に湾曲させるために歪みが大きくなると通常の金属よりも弾性変形抵抗が大きくなることに起因すると思われる。従来の超弾性合金製ステントに見られる上記事実は、ステントを長手方向に湾曲することを許容するには、第二の部分が充分容易に変形し得るようになすことに加えて第一の部分もステントの長手方向における湾曲に応じて容易に変形し得るようになすことが必要であることを意味する。そして、ステントの長手方向における湾曲に応じて第一の部分も容易に変形し得るようになすと、弾性的に拡張された後において管状器官から加えられる半径方向内向きの力、即ちステントを半径方向に収縮せんとする力に対する耐性が低下してしまう。従って、長手方向において充分容易に湾曲されると共に半径方向内向きの力に充分に耐えることができるステントを実現することが困難であった。また、ステントの長手方向における湾曲に応じて第一の部分を構成しているストラットが変形すると、第一の部分の形状が歪なものになってしまって、ステントを搬送する際に管状器官の内壁を損傷してしまう虞もある。
【０００５】
本発明は上記事実に鑑みてなされたものであり、その主たる技術的課題は、第一の部分を構成しているストラットの変形を実質上生成させることなく或いは充分に抑制して、長手方向において充分容易に湾曲することができる、従ってステントの長手方向における湾曲は実質上第二の部分を構成するストラットの変形で実現され、第一の部分を構成するストラットはステントを半径方向に収縮せんとする力に対して充分な耐性を有する、新規且つ改良された超弾性合金製ステントを提供することである。
【課題を解決するための手段】
【０００６】
本発明者等は、鋭意研究を続けた結果、第二の部分を構成するストラットの横断面積Ｘ２を第一の部分を構成するストラットの横断面積Ｘ１の１／１０乃至１／２にすることによって上記主たる技術的課題を達成することができることを見出した。
【０００７】
更に、第一の部分の少なくとも一部にはステントの長手方向中心軸線と実質上平行に延びる中心軸線方向ストラット部を配設し、第二の部分を構成するストラットの少なくとも片端は中心軸線方向ストラット部の片端に接続することによっても上記主たる技術的課題を達成することができることを見出した。
【０００８】
即ち、本発明の一局面によれば、上記主たる技術的課題を達成するステントとして、  長手方向に配列された複数個の第一の部分と隣接する第一の部分間の各々に配設された第二の部分とを含み、該第一の部分の各々はストラットから構成され半径方向に拡張及び収縮自在であり、該第二の部分の各々もストラットから構成され全体が長手方向において湾曲するのを許容する、全体として円筒形状であり且つ全体が一体に形成された超弾性合金製ステントにおいて、
該第二の部分を構成する該ストラットの横断面積X２は該第一の部分を構成する該ストラットの横断面積X1の１／１０乃至１／２である、ことを特徴とするステントが提供される。
【０００９】
該第二の部分を構成する該ストラットの横断面積X２は該第一の部分を構成する該ストラットの横断面積X１の１／８乃至１／４、特に１／６乃至１／４、であるのが好適である。好ましくは、該第一の部分の少なくとも一部はステントの長手方向中心軸線と実質上平行に延びる中心軸線方向ストラット部を含み、該第二の部分を構成するストラットの少なくとも片端は該中心軸線方向ストラット部の片端に接続されている。超弾性合金はニッケルチタン（ＮｉＴｉ）合金であるのが好都合である。
【００１０】
本発明の他の局面によれば、上記主たる技術的課題を達成することができるステントとして、長手方向に配列された複数個の第一の部分と隣接する第一の部分間の各々に配設された第二の部分とを含み、該第一の部分の各々はストラットから構成され半径方向に拡張及び収縮自在であり、該第二の部分の各々もストラットから構成され全体が長手方向において湾曲するのを許容する、全体として円筒形状であり且つ全体が一体に形成された超弾性合金製ステントにおいて、
該第一の部分の少なくとも一部はステントの長手方向中心軸線と実質上平行に延びる中心軸線方向ストラット部を含み、該第二の部分を構成するストラットの少なくとも片端は該中心軸線方向ストラット部の片端に接続されている、ことを特徴とするステントが提供される。
【発明の効果】
【００１１】
本発明のステントによれば、後述する数値解析による評価からも明確に理解されるとおり、第一の部分を構成しているストラットの変形を実質上生成させることなく或いは充分に抑制して、長手方向において充分容易に湾曲することができる、従ってステントの長手方向における湾曲は実質上第二の部分を構成するストラットの変形で実現され、ステントを半径方向に収縮せんとする力に対しては第一の部分を構成するストラットが充分な耐性を有することが可能である。
【発明を実施するための最良の形態】
【００１２】
以下、添付図面を参照して、本発明に従って構成されたステントの好適実施形態について、更に詳述する。
【００１３】
図１は本発明に従って構成された超弾性合金製ステントの好適実施形態を示している。全体を番号２で示すステントは、全体として円筒形状であり且つ全体が一体に形成されている。かようなステント２は、超弾性合金製の円筒体にレーザ光線を適用して所要部位以外を除去し、更に必要に応じて電解研磨或いは化学研磨を施すことによって好都合に製作することができる。好適な超弾性合金としてはニッケルチタン（ＮｉＴｉ）合金を挙げることができる。超弾性合金製ステント２の表面には必要に応じて生体適合性を有する適宜の合成樹脂コーティングを施すことができ、そしてまた所要薬剤を施すこともできる。
【００１４】
図１及び図１に示すステント２の一部を周方向に展開して示す図２から明確に理解されるとおり、ステント２は長手方向、即ち図１及び図２において左右方向、に配列された複数個の第一の部分４と隣接する第一の部分４間の各々に配設された複数個の第二の部分６を含んでいる。
【００１５】
第一の部分４はジグザグ形態で周方向、即ち図１及び図２において上下方向、に延在するストラット８から構成されている。更に詳述すると、第一の部分４を構成するストラット８は複数個の第一の傾斜ストラット部８ａと複数個の第二の傾斜ストラット部８ｂとを含んでおり、第一の傾斜ストラット部８ａと第二の傾斜ストラット部８ｂとは周方向に交互に配列されている。第一のストラット部８ａは、図２において左端から右端まで、ステント２の長手方向軸線に対して傾斜角αをなして上方に傾斜して実質上直線状に延びている。第二のストラット部８ｂは図３において右端から左端まで、ステント２の長手方向軸線に対して傾斜角βをなして上方に傾斜して実質上直線状に延びている。上記傾斜角αと上記傾斜角βとは一般的には実質上同一であるのが好都合であるが相互に異なっていてもよく、５乃至２０度程度であるのが好適である。第一の傾斜ストラット部８ａの右端と第二の傾斜ストラット部８ｂの右端とは半円弧状接続部８ｃを介して接続され、第二の傾斜ストラット部８ｂの左端は次の(即ち上方に位置する）第一の傾斜ストラット部８ａの左端に半円弧状接続部８ｄを介して接続されている。所望ならば、第一のストラット部８ａ及び／又は第二のストラット部８ｂを直線状に延在させることに代えて、上記特許文献１に開示されている如く、適宜の屈折部を有する適宜の形態にすることもできる。また、半円弧状接続部８ｃ及び８ｄに代えて他の適宜の形状の接続部を介して第一の傾斜ストラット部８ａと第二の傾斜ストラット部８ｂとを接続することもできる。
【００１６】
第二の部分６は周方向、即ち図１及び図２において上下方向、に間隔をおいて配置された複数個のストラット１０から構成されている。ストラット１０の各々は長手方向にＳ字を鏡に映した鏡像Ｓ字形状に延びている。ストラット１０の各々は隣接する第一の部分４における長手方向に対向して位置する弧状接続部８ｃと弧状接続部８ｄとの間の各々に配置されており、ストラット１０の一端即ち左端は弧状接続部８ｃに接続され他端即ち右端は弧状接続部８ｄに接続されている。長手方向に鏡像Ｓ字形状に延びるスットラット１０に代えて、ステント２が長手方向に湾曲するのを許容することができる限り、長手方向に通常のＳ字形状に延びるストラット或いは他の任意の形状のストラットから第二の部分６を構成することもできる。
【００１７】
而して、本発明に従って構成されたステント２においては、第二の部分６を構成するストラット１０の横断面積Ｘ２は、第一の部分４を構成するストラット８の横断面積Ｘ１
よりも小さく、その１／１０乃至１／２、好ましくは１／８乃至１／４、特に好ましくは１／６乃至１／４、であることが重要である。後述する数値解析による評価からも明らかなとおり、横断面積Ｘ１が横断面積Ｘ２の１／２よりも大きくなると、ステント２の長手方向における柔軟性、即ち長手方向における湾曲容易性、が過小になり、ステント２を長手方向に湾曲すると第二の部分６を構成しているストラット１０が変形することに加えて第一の部分４を構成しているストラット１０も変形されてしまう。第二の部分６を構成するストラット１０の横断面積Ｘ２が第一の部分Ｘ１の１／１０よりも小さくなると、第二の部分６を構成するストラット１０の強度が過小になる。図示のステント２は実質上均一な厚さを有する円筒体の所要部位を除去することによって形成されており、従って第一の部分４を構成するストラット８の厚さと第二の部分６を構成するストラット１０の厚さは実質上同一であり、上記横断面積Ｘ１と横断面積Ｘ２との比はストラット８の幅とストラット１０の幅との比に対応している。
【００１８】
ステント２を人体の管状器官の治療すべき部位に搬送する際には、ステント２を半径方向に弾性的に収縮してシース(図示していない）内に収容する。ステント２を半径方向に収縮すると、図３に示す如く、第一の部分４を構成しているストラット８の第一の傾斜ストラット部８ａの傾斜角度α及び第二の傾斜ストラット部８ｂの傾斜角度βが減少し、これに応じて第一の部分４の外径が減少する。また、第一の部分４を構成しているストラット８の第一の傾斜ストラット部８ａの傾斜角度α及び第二の傾斜ストラット部８ｂの傾斜角度βが減少することに起因して第一の部分４の長手方向長さが幾分増大し、従ってステント２の長手方向長さが幾分増大する。第二の部分６を構成しているストラット１０は実質上変形されない。半径方向に弾性的に収縮したステント２を人体の管状器官を通して搬送する際には管状器官の湾曲に応じてステント２が長手方向において湾曲することが必要であるが、かかる湾曲は、図４に示す如く、第二の部分６を構成しているストラット１０が変形することによって実現される。本発明に従って構成されたステント２においては、第二の部分６を構成しているストラット１０の横断面積Ｘ２が第一の部分４を構成しているストラット８の横断面積Ｘ１よりも充分に小さい故に、第二の部分６を構成しているストラット１０の変形によってステント２の長手方向における湾曲が許容され、第一の部分４を構成しているストラット８が変形されることは実質上回避乃至充分に抑制される。ステント２が人体の管状器官の治療すべき部位に搬送されると、ステント２からシースが離脱される。かくすると、ステント２は弾性的に復元し、その第一の部分４が半径方向に拡張し、例えば管状器官の治療すべき部位の狭窄が治癒される。
【００１９】
図５は本発明に従って構成されたステントの変形例を示している。図５に示すステント１０２においては、複数個の第一の部分１０４のうちの１つ置きに位置するものにおいては、ストラット１０８はステント１０２の中心軸線方向に延びる複数個の中心軸線方向ストラット部１０８ｅを含んでいる。そして、第二の部分１０６を構成するストラット１１０は中心軸線方向ストラット部１０８ｅに対応して配置されており、ストラット１１０の片端は中心軸線方向ストラット部１０８ｅの片端に接続されている。従って、中心軸線方向ストラット部１０８ｅの片端にはストラット１１０の片端が接続され、中心軸線方向ストラット１０８ｅの他端には他のストラット１１０の片端が接続されている。
【００２０】
図５に示すステント１０２においては、ステント１０２の中心軸線方向に作用する外力は第一の部分１０４においては中心軸線方向に延びる中心軸線方向ストラット部１０８ｅによって受けられ、中心軸線方向ストラット１０８ｅにその延在方向に作用する。従って、第一の部分１０４を構成するストラット１０８に対してはそれが最も変形し難い方向に作用することになる。それ故に、ステント１０２が長手方向に湾曲する際に第一の部分１０４を構成するストラット１０８が変形することが効果的に抑制される。
【００２１】
本発明に従って構成されたステントの好適実施形態について添付図面を参照して詳細に説明したが、本発明はかかる実施形態に限定されるものではなく、本発明の範囲を逸脱することなく種々の変形乃至修正が可能であることは多言するまでもない。例えば、図示の実施形態においては、第一の部分を構成するストラットは第一の傾斜ストラット部と第二の傾斜ストラットを含む形態であるが、かかる形態のストラットに代えて種々の形態のストラット、例えば複数個の円形、楕円形或いは多角形を周方向に複数個配列した形態のストラットから第一の部分を構成することもできる。
【００２２】
数値解析による評価
実施例１
図１乃至図４に示すとおりの形態のステントを仮想設計し、「Annals of Biomedical Engineering, Vol．33(6), 733-742, 2005」に所載の森浩二、斉藤俊「Effects of Stent Structure on Stent Flexibility Measurements」に詳述されている数値解析評価法に従って柔軟性と変形様式を評価した。仮想設計ステントは長さ７０．０ｍｍ、肉厚０．１８ｍｍのニッケルチタン（ＮｉＴｉ）合金（Ｎｉ含量５０．０重量％）製円筒体を加工して製作したものであり、第一の部分は１６個存在し第二の部分は１５個存在し、第一の部分を構成するストラットにおける第一の傾斜ストラット部及び第二の傾斜ストラット部は夫々１２個存在した。第一の部分を構成するストラットの幅は０．２８ｍｍで、第二の部分を構成するストラットの幅は０．０７ｍｍであり、従って第二の部分を構成するストラットの横断面積Ｘ２は第一の部分を構成するストラットの横断面積Ｘ１の１／４であった。長手方向柔軟性を示す指標は図６に示すとおりであった。また、長手方向における湾曲時の変形様式は図７（ａ）に示すとおりであり、ステントの長手方向における湾曲は第二の部分を構成するストラットの変形によって生成され、第一の部分を構成するストラットの変形は実質上皆無であった。
【００２３】
実施例２
第二の部分を構成するストラットの幅が０．１４ｍｍであり、第二の部分を構成するストラットの横断面積Ｘ２が第一の部分を構成するストラットの横断面積Ｘ１の１／２であったことを除いて実施例１と同様にして、柔軟性と変形様式を評価した。長手方向柔軟性を示す指標は図６に示すとおりであった。長手方向における湾曲時の変形様式は図７（ｂ）に示すとおりであり、ステントの長手方向における湾曲は第二の部分を構成するストラットの変形によって生成され、第一の部分を構成するストラットは実質上変形していない。
【００２４】
比較例１
第二の部分を構成するストラットの幅が０．０２１ｍｍであり、第二の部分を構成するストラットの横断面積Ｘ２が第一の部分を構成するストラットの横断面積Ｘ１の３／４であったことを除いて実施例１と同様にして、柔軟性と変形様式を評価した。長手方向柔軟性を示す指標は図６に示すとおりであった。長手方向における湾曲時の変形様式は図７（ｃ）に示すとおりであり、第一の部分を構成するストラットにかなりの変形が見られた。
【００２５】
比較例２
第二の部分を構成するストラットの幅が０．２８ｍｍであり、第二の部分を構成するストラットの横断面積Ｘ２が第一の部分を構成するストラットの横断面積Ｘ１と同一であったことを除いて実験例１と同様にして、柔軟性と変形様式を評価した。長手方向柔軟性を示す指標は図６に示すとおりであった。長手方向における湾曲時の変形様式は図７（ｄ）に示すとおりであり、第一の部分を構成するストラットに大きな変形が見られた。
【００２６】
実施例３
形態が図５に示すとおりである点を除いて実施例１と同様のステント（第一の部分を構成するストラットの幅は０．２８ｍｍで、第二の部分を構成するストラットの幅は０．０７ｍｍであり、従って第二の部分を構成するストラットの横断面積Ｘ２は第一の部分を構成するストラットの横断面積Ｘ１の１／４であった）を仮想設計し、実施例１と同様にして柔軟性と変形様式を評価した。長手方向柔軟性を示す指標は図８に示すとおりであった。また、長手方向における湾曲時の変形様式は図９（ａ）に示すとおりであり、ステントの長手方向における湾曲は第二の部分を構成するストラットの変形によって生成され、第一の部分を構成するストラットの変形は実質上皆無であった。
【００２７】
実施例４
第二の部分を構成するストラットの幅が０．１４ｍｍであり、第二の部分を構成するストラットの横断面積Ｘ２が第一の部分を構成するストラットの横断面積Ｘ１の１／２であったことを除いて実施例３と同様にして、柔軟性と変形様式を評価した。長手方向柔軟性を示す指標は図８に示すとおりであった。長手方向における湾曲時の変形様式は図９（ｂ）に示すとおりであり、ステントの長手方向における湾曲は第二の部分を構成するストラットの変形によって生成され、第一の部分を構成するストラットは実質上変形していない。
【００２８】
実施例５
第二の部分を構成するストラットの幅が０．０２１ｍｍであり、第二の部分を構成するストラットの横断面積Ｘ２が第一の部分を構成するストラットの横断面積Ｘ１の３／４であったことを除いて実施例３と同様にして、柔軟性と変形様式を評価した。長手方向柔軟性を示す指標は図８に示すとおりであった。長手方向における湾曲時の変形様式は図９  （ｃ）に示すとおりであり、第一の部分における中心軸線方向ストラット部に若干の変形が見られるが第一の部分におけるその他の部分の変形は実質上皆無であった。
【００２９】
実施例６
第二の部分を構成するストラットの幅が０．２８ｍｍであり、第二の部分を構成するストラットの横断面積Ｘ２が第一の部分を構成するストラットの横断面積Ｘ１と同一であったことを除いて実験例３と同様にして、柔軟性と変形様式を評価した。長手方向柔軟性を示す指標は図８に示すとおりであった。長手方向における湾曲時の変形様式は図９（ｄ）に示すとおりであり、第一の部分における中心軸線方向ストラット部に幾分かの変形が見られるが第一の部分におけるその他の部分は実質上変形していない。
【図面の簡単な説明】
【００３０】
【図１】本発明に従って構成されたステントの好適実施形態を示す正面図。
【図２】図１のステントの一部を周方向に展開して示す展開図。
【図３】ステントが半径方向に収縮された状態を示す、図２と同様の展開図。
【図４】ステントが長手方向において湾曲された状態を示す、図２と同様の展開図。
【図５】本発明に従って構成されたステントの他の好適実施形態の一部を示す、図２と同様の展開図。
【図６】実施例１及び２並びに比較例１及び２における長手方向柔軟性の指標を示す線図。
【図７】実施例１及び２並びに比較例１及び２における変形様式を示す展開図。
【図８】実施例３乃至６における長手方向柔軟性の指標を示す線図。
【図９】実施例３乃至６における変形様式を示す展開図。
【符号の説明】
【００３１】
２：ステント
４：第一の部分
６：第二の部分
８：第一の部分を構成しているストラット
１０：第二の部分を構成しているストラット
１０２：ステント
１０４：第一の部分
１０６：第二の部分
１０８：第一の部分を構成しているストラット
１０８ｅ：中心軸線方向ストラット部
１１０：第二の部分を構成しているストラット
【図１】
2007159967.tif 000003
【図２】
2007159967.tif 000004
【図３】
2007159967.tif 000005
【図４】
2007159967.tif 000006
【図５】
2007159967.tif 000007
【図６】
2007159967.tif 000008
【図７】
2007159967.tif 000009
【図８】
2007159967.tif 000010
【図９】
2007159967.tif 000011